【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
衛生製品における亜鉛処理された沈降炭酸カルシウム（ＰＣＣ）の使用であって、
前記亜鉛処理沈降炭酸カルシウムが、
酸化カルシウムを水で消和して、水酸化カルシウムスラリーを得ること、
前記水酸化カルシウムスラリーを炭酸化すること、
前記炭酸化前及び／又は炭酸化中にＺｎ２＋イオン供与体を添加すること
により得られることを特徴とする使用。
【請求項２】
Ｚｎ２＋イオン供与体が、硫酸亜鉛；ハロゲン化亜鉛；硝酸亜鉛；リン酸亜鉛；炭酸亜鉛；酸化亜鉛；水酸化亜鉛；それらの水和物及び混合物からなる群から選択されることを特徴とする、請求項１に記載の使用。
【請求項３】
ハロゲン化亜鉛が塩化亜鉛、臭化亜鉛及びヨウ化亜鉛から成る群から選択され；リン酸亜鉛がＺｎ３（ＰＯ４）２及びＺｎＨＰＯ４から成る群から選択され；炭酸亜鉛がＺｎＣＯ３及びＺｎ（ＨＣＯ３）２から成る群から選択されることを特徴とする、請求項２に記載の使用。
【請求項４】
Ｚｎ２＋イオン供与体が、酸化カルシウムの乾燥重量を基準として０．１〜３０重量％の量で添加されることを特徴とする、請求項１〜３のいずれか一項に記載の使用。
【請求項５】
Ｚｎ２＋イオン供与体が、酸化カルシウムの乾燥重量を基準として２〜２５重量％の量で添加されることを特徴とする、請求項４に記載の使用。
【請求項６】
Ｚｎ２＋イオン供与体が、１種以上のＩ族及び／又はＩＩ族及び／又はＩＩＩ族金属硫酸塩と組み合わせて添加されることを特徴とする、請求項１〜５のいずれか一項に記載の使用。
【請求項７】
１種以上のＩ族及び／又はＩＩ族及び／又はＩＩＩ族金属硫酸塩が、硫酸ナトリウム、硫酸カルシウム、硫酸マグネシウム、硫酸アルミニウム、それらの水和物及び混合物を含む群から選択されることを特徴とする、請求項６に記載の使用。
【請求項８】
１種以上のＩ族及び／又はＩＩ族及び／又はＩＩＩ族金属硫酸塩が、酸化カルシウムの乾燥重量を基準として０．１〜３０重量％の量で添加されることを特徴とする、請求項６に記載の使用。
【請求項９】
１種以上のＩ族及び／又はＩＩ族及び／又はＩＩＩ族金属硫酸塩が、酸化カルシウムの乾燥重量を基準として１〜２５重量％の量で添加されることを特徴とする、請求項８に記載の使用。
【請求項１０】
Ｚｎ２＋イオン供与体、並びに／又はＩ族及び／若しくはＩＩ族及び／若しくはＩＩＩ族金属硫酸塩が、互いに独立して、炭酸化前及び／又は炭酸化中に添加されることを特徴とする、請求項１〜９のいずれか一項に記載の使用。
【請求項１１】
水酸化カルシウムスラリーが、Ｚｎ２＋イオン供与体の添加前及び／又は炭酸化ステップ後に篩い分けされることを特徴とする、請求項１〜１０のいずれか一項に記載の使用。
【請求項１２】
炭酸化ステップが、沈降中、毎分３０リットル未満の炭酸ガス流速で行われることを特徴とする、請求項１〜１１のいずれか一項に記載の使用。
【請求項１３】
炭酸化ステップが、沈降中、毎分１〜３０リットルの流速で、及び／又は１０〜７０℃の温度で行われることを特徴とする、請求項１２に記載の使用。
【請求項１４】
炭酸化後、得られた沈降炭酸カルシウムスラリーが、任意選択的にカチオン性及び／又はアニオン性分散剤の存在下で、濃縮されることを特徴とする、請求項１〜１３のいずれか一項に記載の使用。
【請求項１５】
炭酸化後、得られた沈降炭酸カルシウムスラリーが、１５〜６０重量％の固体含量が得られるまで、又は乾燥するまで、濃縮されることを特徴とする、請求項１４に記載の使用。
【請求項１６】
亜鉛処理された沈降炭酸カルシウムが、配合物の形態で提供されることを特徴とする、請求項１〜１５のいずれか一項に記載の使用。
【請求項１７】
亜鉛処理された沈降炭酸カルシウムが、水性配合物の形態で提供されることを特徴とする、請求項１６に記載の使用。
【請求項１８】
亜鉛処理された沈降炭酸カルシウムが、１５〜７０重量％の固体含量、及び／又は５０〜３０００ｍＰａ・ｓの粘度を有する水性配合物の形態で提供されることを特徴とする、請求項１〜１７のいずれか一項に記載の使用。
【請求項１９】
亜鉛処理された沈降炭酸カルシウムが、２０〜６０重量％の固体含量、及び／又は１００〜２０００ｍＰａ・ｓの粘度を有する水性配合物の形態で提供されることを特徴とする、請求項１８に記載の使用。
【請求項２０】
配合物が、分散剤、結合剤、殺生物剤、消泡剤、油、顔料、凝集剤、湿潤剤、中和剤、乳化剤、溶媒、着色剤、及びそれらの混合物を含む群から選択されるさらなる成分を含むことを特徴とする、請求項１６〜１９のいずれか一項に記載の使用。
【請求項２１】
スラリーの形態、乾燥形態又は配合物の形態の亜鉛処理された沈降炭酸カルシウムが、衛生製品に適用されることを特徴とする、請求項１〜２０のいずれか一項に記載の使用。
【請求項２２】
衛生製品が、吸収／吸着性製品、女性用衛生製品、、消臭剤配合物及び不織製品から成る群から選択されることを特徴とする、請求項２１に記載の使用。
【請求項２３】
スラリーの形態、乾燥形態又は配合物の形態の亜鉛処理された沈降炭酸カルシウムが、トップシート層、１つ以上の獲得／分配層（ＡＤＬ）、ティッシュラップ層、吸収／吸着性コア、及びバックシート層を含む群から選択される１つ又はいくつかの層を備える吸収／吸着性製品に適用されることを特徴とする、請求項１〜２２のいずれか一項に記載の使用。
【請求項２４】
スラリーの形態、乾燥形態又は配合物の形態の亜鉛処理された沈降炭酸カルシウムが、トップシート層、１つ以上の獲得／分配層（ＡＤＬ）、ティッシュラップ層、吸収／吸着性コア、及びバックシート層を含む群から選択される吸収／吸着性製品の層の１つ又はいくつかに適用されることを特徴とする、請求項２３に記載の使用。
【請求項２５】
亜鉛処理された沈降炭酸カルシウムが、０．０５〜１５ｍｇ／ｃｍ２の乾燥コーティング重量を提供するために適用されることを特徴とする、請求項１〜２４のいずれか一項に記載の使用。
【請求項２６】
亜鉛処理された沈降炭酸カルシウムが、０．１〜１０ｍｇ／ｃｍ２の乾燥コーティング重量を提供するために適用されることを特徴とする、請求項２５に記載の使用。
【請求項２７】
衛生製品が、吸収／吸着性製品、女性用衛生製品、消臭剤配合物、不織製品を含む群から選択される、請求項１〜２６のいずれか一項に記載の亜鉛処理された沈降炭酸カルシウムを含む衛生製品。
【請求項２８】
吸収／吸着性製品が、おむつ、トレーニング用パンツ及び水泳パンツから成る群から選択され、女性用衛生製品が、パッド、パンティライナー、生理用ナプキン及び失禁用製品から成る群から選択され、不織製品がワイプである、請求項２７に記載の衛生製品。
【請求項２９】
衛生製品が、トップシート層、１つ以上の獲得／分配層（ＡＤＬ）、ティッシュラップ層、吸収／吸着性コア、及びバックシート層を含む群から選択される１つ又はいくつかの層を備える吸収／吸着性製品であり、請求項１〜２７のいずれか一項に記載の亜鉛処理された沈降炭酸カルシウムが、前記層の少なくとも１つに適用されることを特徴とする、請求項２７に記載の衛生製品。
【請求項３０】
吸収／吸着性製品がおむつであることを特徴とする、請求項２９に記載の衛生製品。
【請求項３１】
亜鉛処理された沈降炭酸カルシウムが、スラリーの形態、乾燥形態、又は配合物の形態で衛生製品に適用されることを特徴とする、請求項２７〜３０のいずれか一項に記載の衛生製品の作製方法。
【請求項３２】
亜鉛処理された沈降炭酸カルシウムが、噴霧コーティング又は印刷によって適用されることを特徴とする、請求項３１に記載の方法。
【請求項３３】
印刷がフレキソ印刷であることを特徴とする、請求項３２に記載の方法。